(57)【要約】      （修正有）【課題】物品の重量値の測定と、物品に設けられたＩＤタグの情報の読み取りとを正確に行なうことができる測定システムを提供する。【解決手段】電子秤１と、電子秤１にネットワーク５を介して接続されたサーバ４とを具備する。重量測定部３は、電子秤本体部２に設けられ、受皿部３０に物品１００が載置されたときに、物品１００の重量を検出し、重量を表す重量値をサーバ４に送信する。サーバ４は、重量値を受信したときに、読取要求をリーダライタ２０に送信する。リーダライタ２０は、アンテナ２１に接続され、読取要求に応じて、アンテナ２１を介してＩＤタグ１０と通信し、ＩＤタグ１０からタグ識別子を受信してサーバ４に送信する。サーバ４は、リーダライタ２０からタグ識別子を受信し、重量値とタグ識別子とを含む測定結果を生成する。【選択図】図１
2006098268.tif 000002
【特許請求の範囲】
【請求項１】
電子秤と、
前記電子秤にネットワークを介して接続されたサーバとを具備し、
前記電子秤は、
電子秤本体部と、
前記電子秤本体部上に設けられ、タグ識別子を保持するＩＤタグが設けられた物品を載置可能な受皿部と、
前記受皿部に設けられたアンテナと、
前記電子秤本体部に設けられ、前記受皿部に前記物品が載置されたときに、前記物品の重量を検出し、前記重量を表す重量値を前記サーバに送信する重量測定部と、
前記アンテナに接続された読取部とを具備し、
前記読取部は、読取要求に応じて、前記アンテナを介して前記ＩＤタグに前記読出信号を送信し、
前記ＩＤタグは、前記読取部からの読出信号に応じて、返答信号として前記タグ識別子を前記読取部に送信し、
前記読取部は、前記ＩＤタグからの前記タグ識別子を受信して前記サーバに送信し、
前記サーバは、制御装置を具備し、
前記制御装置は、
前記重量測定部からの前記重量値を受信する重量値受信部と、
前記重量値受信部が前記重量値を受信したときに、前記読取要求を前記読取部に送信するトリガ制御部と、
前記読取部からの前記タグ識別子を受信するタグ受信部と、
前記重量値受信部により受信された前記重量値と前記タグ受信部により受信された前記タグ識別子とを含む測定結果を生成する測定結果生成部と
を具備する測定システム。
【請求項２】
請求項１に記載の測定システムにおいて、
前記サーバは、更に、
記憶装置と、
表示装置とを具備し、
前記測定結果生成部は、
前記重量値受信部により受信された前記重量値と、前記タグ受信部により受信された前記タグ識別子とを前記測定結果として前記記憶装置に格納する格納制御部と、
測定結果表示指示に応じて、前記重量値と前記タグ識別子とを前記記憶装置から読み出して前記表示装置に表示する表示制御部と
を具備する測定システム。
【請求項３】
請求項１に記載の測定システムにおいて、
更に、
ユーザ端末を具備し、
前記ユーザ端末は、
前記サーバにネットワークを介して接続され、ユーザによる測定結果表示指示を前記サーバに送信する端末制御装置と、
表示装置とを具備し、
前記サーバは、更に、
記憶装置を具備し、
前記測定結果生成部は、
前記重量値受信部により受信された前記重量値と、前記タグ受信部により受信された前記タグ識別子とを前記測定結果として前記記憶装置に格納する格納制御部と、
前記測定結果表示指示に応じて、前記重量値と前記タグ識別子とを前記記憶装置から読み出して前記ユーザ端末の前記表示装置に表示する表示制御部と
を具備する測定システム。
【請求項４】
請求項２又は３に記載の測定システムにおいて、
前記物品には、複数の前記ＩＤタグが設けられ、
前記記憶装置には制御番号が格納され、
前記タグ受信部は、前記読取部からの複数の前記タグ識別子を受信し、
前記格納制御部は、前記制御番号に対応付けて、前記重量値受信部により受信された前記重量値と、前記タグ受信部により受信された前記複数のタグ識別子とを前記測定結果として前記記憶装置に格納し、
前記表示制御部は、前記測定結果表示指示に応じて、前記制御番号に対応する前記重量値と前記複数のタグ識別子とを前記記憶装置から読み出して前記表示装置に表示する
測定システム。
【請求項５】
請求項４に記載の測定システムにおいて、
前記タグ識別子は、前記ＩＤタグを識別するためのＩＤと、前記ＩＤタグに設けられた前記物品を表す物品情報とを含み、
前記複数のタグ識別子のうちの第１タグ識別子の前記物品情報は、前記物品を製造する製造元を表す製造元情報を含み、
前記複数のタグ識別子のうちの第２タグ識別子の前記物品情報は、前記物品を流通する流通元を表す流通元情報を含み、
前記複数のタグ識別子のうちの第３タグ識別子の前記物品情報は、前記物品を販売する販売元を表す販売元情報を含む
測定システム。
【請求項６】
電子秤本体部と、
前記電子秤本体部に設けられた制御装置と、
前記電子秤本体部上に設けられ、タグ識別子を保持するＩＤタグが設けられた物品を載置可能な受皿部と、
前記受皿部に設けられたアンテナと、
前記電子秤本体部に設けられ、前記受皿部に前記物品が載置されたときに、前記物品の重量を検出し、前記重量を表す重量値を前記制御装置に送信する重量測定部と、
前記アンテナに接続された読取部とを具備し、
前記読取部は、読取要求に応じて、前記アンテナを介して前記ＩＤタグに前記読出信号を送信し、
前記ＩＤタグは、前記読取部からの読出信号に応じて、返答信号として前記タグ識別子を前記読取部に送信し、
前記読取部は、前記ＩＤタグからの前記タグ識別子を受信して前記サーバに送信し、
前記制御装置は、
前記重量測定部からの前記重量値を受信する重量値受信部と、
前記重量値受信部が前記重量値を受信したときに、前記読取要求を前記読取部に送信するトリガ制御部と、
前記読取部からの前記タグ識別子を受信するタグ受信部と、
前記重量値受信部により受信された前記重量値と前記タグ受信部により受信された前記タグ識別子とを含む測定結果を生成する測定結果生成部と
を具備する電子秤。
【請求項７】
請求項６に記載の電子秤において、
更に、
記憶装置と、
表示装置とを具備し、
前記測定結果生成部は、
前記重量値受信部により受信された前記重量値と、前記タグ受信部により受信された前記タグ識別子とを前記測定結果として前記記憶装置に格納する格納制御部と、
測定結果表示指示に応じて、前記重量値と前記タグ識別子とを前記記憶装置から読み出して前記表示装置に表示する表示制御部と
を具備する電子秤。
【請求項８】
請求項６に記載の電子秤において、
更に、
記憶装置を具備し、
前記制御装置は、表示装置を具備するユーザ端末にネットワークを介して接続され、
前記測定結果生成部は、
前記重量値受信部により受信された前記重量値と、前記タグ受信部により受信された前記タグ識別子とを前記測定結果として前記記憶装置に格納する格納制御部と、
前記ユーザ端末から送信される測定結果表示指示に応じて、前記重量値と前記タグ識別子とを前記記憶装置から読み出して前記ユーザ端末の前記表示装置に表示する表示制御部と
を具備する電子秤。
【請求項９】
請求項７又は８に記載の電子秤において、
前記物品には、複数の前記ＩＤタグが設けられ、
前記記憶装置には制御番号が格納され、
前記タグ受信部は、前記読取部からの複数の前記タグ識別子を受信し、
前記格納制御部は、前記制御番号に対応付けて、前記重量値受信部により受信された前記重量値と、前記タグ受信部により受信された前記複数のタグ識別子とを前記測定結果として前記記憶装置に格納し、
前記表示制御部は、前記測定結果表示指示に応じて、前記制御番号に対応する前記重量値と前記複数のタグ識別子とを前記記憶装置から読み出して前記表示装置に表示する
電子秤。
【請求項１０】
請求項９に記載の電子秤において、
前記タグ識別子は、前記ＩＤタグを識別するためのＩＤと、前記ＩＤタグに設けられた前記物品を表す物品情報とを含み、
前記複数のタグ識別子のうちの第１タグ識別子の前記物品情報は、前記物品を製造する製造元を表す製造元情報を含み、
前記複数のタグ識別子のうちの第２タグ識別子の前記物品情報は、前記物品を流通する流通元を表す流通元情報を含み、
前記複数のタグ識別子のうちの第３タグ識別子の前記物品情報は、前記物品を販売する販売元を表す販売元情報を含む
電子秤。
【発明の詳細な説明】
【技術分野】
【０００１】
本発明は、測定システムに関し、特に、ＩＤタグが設けられた物品の重量を測定する測定システムに関する。
【背景技術】
【０００２】
近年、物品にＩＤタグを設けて、ＩＤタグとリーダライタとの通信によって、物品を管理する管理システムが開発されている。管理システムでは、物品を管理するために、ＩＤタグは、その情報としてタグ識別子を保持し、タグ識別子は、ＩＤタグを識別するためのユニークなＩＤと、ＩＤタグに設けられた物品を表す物品情報（例示；物品の名称）とを含んでいる。
例えば物品が食材である場合、ユーザが物品を半分だけ使用（摂取）したとき、物品の重量を表す重量値は半分になる。このような場合、上記の管理システムによって物品を管理するためには、物品の重量を測定する測定システムが必要である。
【０００３】
ここで、電子秤を用いた従来の技術について紹介する。
特開平１１−１６１７２８号公報（特許文献１）には、多数の被管理者毎の摂取食事量を正確且つ迅速に把握可能な「食事摂取量管理システム」が記載されている。食事摂取量管理システムは、食事を盛る皿を特定するＩＤを識別するＩＤ識別手段と、前記皿を含めた食事の重さを電気的に測定する電子秤を有している。この食事摂取量管理システムは、前記電子秤で測定された前記皿に盛った食事の重さ及び食事終了後に返却された皿と食事残量の重さ情報を受け、当該ＩＤに対応して定められた被管理者の食事摂取量を求め、新たなデータベースとして格納し、予めデータベースとして格納されている前記被管理者に最適な食事摂取量と比較して食事摂取量の過不足を算出することを特徴としている。
【０００４】
【特許文献１】特開平１１−１６１７２８号公報
【発明の開示】
【発明が解決しようとする課題】
【０００５】
本発明の課題は、物品の重量値の測定と、物品に設けられたＩＤタグの情報の読み取りとを正確に行なうことができる測定システムを提供することにある。
本発明の他の課題は、正確な重量値とＩＤタグの情報とをユーザに通知することができる測定システムを提供することにある。
本発明の更に他の課題は、遠隔地にいるユーザに対して、正確な重量値とＩＤタグの情報とを通知することができる測定システムを提供することにある。
本発明の更に他の課題は、物品の重量値の測定と、物品に設けられたＩＤタグの情報の読み取りとに対する信頼性が向上する測定システムを提供することにある。
【課題を解決するための手段】
【０００６】
以下に、［発明を実施するための最良の形態］で使用する番号・符号を用いて、課題を解決するための手段を説明する。これらの番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【０００７】
本発明の測定システムは、電子秤（１）と、前記電子秤（１）にネットワーク（５）を介して接続されたサーバ（４）とを具備している。
前記電子秤（１）は、電子秤本体部（２）と、受皿部（３０；３１、３２）と、アンテナ（２１）と、重量測定部（３）と、読取部（２０）とを具備している。
前記受皿部（３０；３１、３２）は、前記電子秤本体部（２）上に設けられ、タグ識別子（１０’）を保持するＩＤタグ（１０）が設けられた物品（１００）を載置可能である。
前記アンテナ（２１）は、前記受皿部（３０；３１、３２）に設けられている。
前記重量測定部（３）は、前記電子秤本体部（２）に設けられ、前記受皿部（３０；３１、３２）に前記物品（１００）が載置されたときに、前記物品（１００）の重量を検出し、前記重量を表す重量値を前記サーバ（４）に送信する（Ｓ１−ＹＥＳ、Ｓ２）。
前記読取部（２０）は、前記アンテナ（２１）に接続されている。
前記読取部（２０）は、読取要求に応じて、前記アンテナ（２１）を介して前記ＩＤタグ（１０）に前記読出信号を送信する（Ｓ６）。
前記ＩＤタグ（１０）は、前記読取部（２０）からの読出信号に応じて、返答信号として前記タグ識別子（１０’）を前記読取部（２０）に送信する（Ｓ７）。
前記読取部（２０）は、前記ＩＤタグ（１０）からの前記タグ識別子（１０’）を受信して前記サーバ（４）に送信する（Ｓ８）。
前記サーバ（４）は、制御装置（４０）を具備している。前記制御装置（４０）は、重量値受信部（４３）と、トリガ制御部（４４）と、タグ受信部（４５）と、測定結果生成部（４６）とを具備している。
前記重量値受信部（４３）は、前記重量測定部（３）からの前記重量値を受信する（Ｓ３）。
前記トリガ制御部（４４）は、前記重量値受信部（４３）が前記重量値を受信したときに、前記読取要求を前記読取部（２０）に送信する（Ｓ５）。
前記タグ受信部（４５）は、前記読取部（２０）からの前記タグ識別子（１０’）を受信する（Ｓ９）。
前記測定結果生成部（４６）は、前記重量値受信部（４３）により受信された前記重量値と前記タグ受信部（４５）により受信された前記タグ識別子（１０’）とを含む測定結果を生成する（Ｓ４、Ｓ１０）。
【０００８】
ＩＤタグ（１０）と読取部（２０）とが電波によって通信するとき、ＩＤタグ（１０）のアンテナ（１１）と読取部（２０）のアンテナ（２１）から電波や電磁波が発生し、これが電子秤（１）に対してノイズとして悪影響を与える。これについて説明する。重量測定部（３）は、受皿部（３０；３１、３２）に物品（１００）が載置されたときの荷重｛受皿部（３０；３１、３２）のひずみ｝を電圧として測定し、その電圧を物品（１００）の重量値に変換する。重量測定部（３）において、受皿部（３０；３１、３２）のひずみによって測定される電圧は微弱である。この微弱な電圧はノイズに影響しやすい。このため、重量測定部（３）は、ノイズの影響を受けた場合、誤った重量値を測定してしまう。
そこで、本発明の測定システムでは、電子秤（１）の受皿部（３０；３１、３２）に物品（１００）が載置されたときに、重量測定部（３）は、物品（１００）の重量値をサーバ（４）に送信する。このとき、サーバ（４）は、重量測定部（３）からの重量値を受信し、その重量値（決定重量値）をトリガにして読取要求を読取部（２０）に送信する。読取部（２０）は、読取要求に応じて、物品（１００）に設けられたＩＤタグ（１０）とアンテナ（２１）を介して通信し、タグ識別子（１０’）を取得する読み取り動作を行なう。このように、上記のＳ６〜Ｓ８以外の動作では、上記の読み取り動作が行なわれない上に、ＩＤタグ（１０）のアンテナ（１１）と読取部（２０）のアンテナ（２１）から電波や電磁波が発生しない。特に、重量測定部（３）が物品（１００）の重量値の測定を行なうときには、上記の読み取り動作が行なわれない。本発明の測定システムでは、重量測定部（３）が物品（１００）の重量値の測定を行なった後に、読取部（２０）がＩＤタグ（１０）の情報｛タグ識別子（１０’）｝の読み取りを行なう。このため、重量測定部（３）は、電波や電磁波が電子秤（１）に対してノイズとして影響を受けることなく、正確に物品（１００）の重量値を測定することができる。従って、本発明の測定システムでは、物品（１００）の重量値の測定と、物品（１００）に設けられたＩＤタグ（１０）の情報の読み取りとを正確に行なうことができる。
【０００９】
本発明の測定システムにおいて、前記サーバ（４）は、更に、記憶装置（４２）と、表示装置（４１）とを具備している。
前記測定結果生成部（４６）は、格納制御部（４７）と、表示制御部（４８）とを具備している。
前記格納制御部（４７）は、前記重量値受信部（４３）により受信された前記重量値と、前記タグ受信部（４５）により受信された前記タグ識別子（１０’）とを前記測定結果として前記記憶装置（４２）に格納する（Ｓ４、Ｓ１０）。
前記表示制御部（４８）は、測定結果表示指示に応じて、前記重量値と前記タグ識別子（１０’）とを前記記憶装置（４２）から読み出して前記表示装置（４１）に表示する（Ｓ１１−ＹＥＳ、Ｓ１２）。
【００１０】
本発明の測定システムでは、サーバ（４）は、正確な物品（１００）の重量値（決定重量値）とＩＤタグの情報｛タグ識別子（１０’）｝とを測定結果として記憶装置（４２）に格納する。このため、本発明の測定システムでは、サーバ（４）は、測定結果表示指示に応じて、記憶装置（４２）に格納された測定結果を表示装置（４１）に表示することにより、正確な物品（１００）の重量値とＩＤタグ（１０）の情報とをユーザに通知することができる。
【００１１】
本発明の測定システムは、更に、ユーザ端末（６）を具備している。
前記ユーザ端末（６）は、端末制御装置（６０）と、表示装置（６１）とを具備している。前記端末制御装置（６０）は、前記サーバ（４）にネットワーク（７）を介して接続され、ユーザによる測定結果表示指示を前記サーバ（４）に送信する。
前記サーバ（４）は、更に、記憶装置（４２）を具備している。
前記測定結果生成部（４６）は、格納制御部（４７）と、表示制御部（４８）とを具備している。
前記格納制御部（４７）は、前記重量値受信部（４３）により受信された前記重量値と、前記タグ受信部（４５）により受信された前記タグ識別子（１０’）とを前記測定結果として前記記憶装置（４２）に格納する（Ｓ４、Ｓ１０）。
前記表示制御部（４８）は、前記測定結果表示指示に応じて、前記重量値と前記タグ識別子（１０’）とを前記記憶装置（４２）から読み出して前記ユーザ端末（６）の前記表示装置（６１）に表示する（Ｓ２１−ＹＥＳ、Ｓ２２、Ｓ２３）。
【００１２】
本発明の測定システムでは、サーバ（４）は、正確な物品（１００）の重量値（決定重量値）とＩＤタグの情報｛タグ識別子（１０’）｝とを測定結果として記憶装置（４２）に格納する。このため、本発明の測定システムでは、サーバ（４）は、ユーザ端末（６）からの測定結果表示指示に応じて、記憶装置（４２）に格納された測定結果をユーザ端末（６）の表示装置（６１）に表示することにより、ユーザ端末（６）を持参して遠隔地にいるユーザに対して、正確な物品（１００）の重量値とＩＤタグ（１０）の情報とを通知することができる。
【００１３】
本発明の測定システムにおいて、前記物品（１００）には、複数の前記ＩＤタグ（１０；１０−１、１０−２、１０−３）が設けられている。
この場合、前記記憶装置（４２）には制御番号が格納されている。
前記タグ受信部（４５）は、前記読取部（２０）からの複数の前記タグ識別子（１０’；１０−１’、１０−２’、１０−３’）を受信する（Ｓ９）。
前記格納制御部（４７）は、前記制御番号に対応付けて、前記重量値受信部（４３）により受信された前記重量値と、前記タグ受信部（４５）により受信された前記複数のタグ識別子（１０’；１０−１’、１０−２’、１０−３’）とを前記測定結果として前記記憶装置（４２）に格納する（Ｓ４、Ｓ１０）。
前記表示制御部（４８）は、前記測定結果表示指示に応じて、前記制御番号に対応する前記重量値と前記複数のタグ識別子（１０’；１０−１’、１０−２’、１０−３’）とを前記記憶装置（４２）から読み出して前記表示装置（４１）（６１）に表示する（Ｓ１１−ＹＥＳ、Ｓ１２）（Ｓ２１、Ｓ２２、Ｓ２３）。
【００１４】
物品（１００）に複数のＩＤタグ（１０−１、１０−２、１０−３）が設けられている場合がある。このような場合でも、本発明の測定システムでは、重量測定部（３）が物品（１００）の重量値（決定重量値）の測定を行なった後に、読取部（２０）が複数のＩＤタグ（１０−１、１０−２、１０−３）の情報｛タグ識別子（１０−１’、１０−２’、１０−３’）｝の読み取りを行なう。このように、本発明の測定システムでは、読み取った情報｛タグ識別子（１０−１’、１０−２’、１０−３’）｝に対して重量値がばらつくことがないため、物品（１００）の重量値の測定と、物品（１００）に設けられた複数のＩＤタグ（１０−１、１０−２、１０−３）の情報の読み取りとに対する信頼性が向上する。
サーバ（４）は、正確な物品（１００）の重量値（決定重量値）と複数のＩＤタグ（１０−１、１０−２、１０−３）の情報｛タグ識別子（１０−１’、１０−２’、１０−３’）｝とを測定結果として記憶装置（４２）に格納する。このため、本発明の測定システムでは、サーバ（４）は、測定結果表示指示に応じて、記憶装置（４２）に格納された測定結果を表示装置（４１）（６１）に表示することにより、正確な物品（１００）の重量値と複数のＩＤタグ（１０−１、１０−２、１０−３）の情報とをユーザに通知することができる。この場合、重量値（決定重量値）は、複数のタグ識別子（１０−１’、１０−２’、１０−３’）に対して同じ重量値であるため、ユーザは、表示装置（４１）（６１）に表示された測定結果を見たとき、その測定結果を信頼することができる。
【００１５】
本発明の測定システムにおいて、前記タグ識別子（１０’）は、前記ＩＤタグ（１０）を識別するためのＩＤと、前記ＩＤタグ（１０）に設けられた前記物品（１００）を表す物品情報とを含んでいる。
前記複数のタグ識別子（１０’；１０−１’、１０−２’、１０−３’）のうちの第１タグ識別子（１０−１’）の前記物品情報は、前記物品（１００）を製造する製造元を表す製造元情報を含んでいる。
前記複数のタグ識別子（１０’；１０−１’、１０−２’、１０−３’）のうちの第２タグ識別子（１０−２’）の前記物品情報は、前記物品（１００）を流通する流通元を表す流通元情報を含んでいる。
前記複数のタグ識別子（１０’；１０−１’、１０−２’、１０−３’）のうちの第３タグ識別子（１０−３’）の前記物品情報は、前記物品（１００）を販売する販売元を表す販売元情報を含んでいる。
【００１６】
本発明の電子秤（１）は、電子秤本体部（２）と、制御装置（４０）と、受皿部（３０；３１、３２）と、アンテナ（２１）と、重量測定部（３）と、読取部（２０）とを具備している。
前記制御装置（４０）は、前記電子秤本体部（２）に設けられている。
前記受皿部（３０；３１、３２）は、前記電子秤本体部（２）上に設けられ、タグ識別子（１０’）を保持するＩＤタグ（１０）が設けられた物品（１００）を載置可能である。
前記アンテナ（２１）は、前記受皿部（３０；３１、３２）に設けられている。
前記重量測定部（３）は、前記電子秤本体部（２）に設けられ、前記受皿部（３０；３１、３２）に前記物品（１００）が載置されたときに、前記物品（１００）の重量を検出し、前記重量を表す重量値を前記サーバ（４）に送信する（Ｓ１−ＹＥＳ、Ｓ２）。
前記読取部（２０）は、前記アンテナ（２１）に接続されている。
前記読取部（２０）は、読取要求に応じて、前記アンテナ（２１）を介して前記ＩＤタグ（１０）に前記読出信号を送信する（Ｓ６）。
前記ＩＤタグ（１０）は、前記読取部（２０）からの読出信号に応じて、返答信号として前記タグ識別子（１０’）を前記読取部（２０）に送信する（Ｓ７）。
前記読取部（２０）は、前記ＩＤタグ（１０）からの前記タグ識別子（１０’）を受信して前記サーバ（４）に送信する（Ｓ８）。
前記制御装置（４０）は、重量値受信部（４３）と、トリガ制御部（４４）と、タグ受信部（４５）と、測定結果生成部（４６）とを具備している。
前記重量値受信部（４３）は、前記重量測定部（３）からの前記重量値を受信する（Ｓ３）。
前記トリガ制御部（４４）は、前記重量値受信部（４３）が前記重量値を受信したときに、前記読取要求を前記読取部（２０）に送信する（Ｓ５）。
前記タグ受信部（４５）は、前記読取部（２０）からの前記タグ識別子（１０’）を受信する（Ｓ９）。
前記測定結果生成部（４６）は、前記重量値受信部（４３）により受信された前記重量値と前記タグ受信部（４５）により受信された前記タグ識別子（１０’）とを含む測定結果を生成する（Ｓ４、Ｓ１０）。
【００１７】
ＩＤタグ（１０）と読取部（２０）とが電波によって通信するとき、ＩＤタグ（１０）のアンテナ（１１）と読取部（２０）のアンテナ（２１）から、電波や電磁波が発生し、これが電子秤（１）に対してノイズとして悪影響を与える。これについて説明する。重量測定部（３）は、受皿部（３０；３１、３２）に物品（１００）が載置されたときの荷重｛受皿部（３０；３１、３２）のひずみ｝を電圧として測定し、その電圧を物品（１００）の重量値に変換する。重量測定部（３）において、受皿部（３０；３１、３２）のひずみによって測定される電圧は微弱である。この微弱な電圧はノイズに影響しやすい。このため、重量測定部（３）は、ノイズの影響を受けた場合、誤った重量値を測定してしまう。
そこで、本発明の電子秤（１）では、受皿部（３０；３１、３２）に物品（１００）が載置されたときに、重量測定部（３）は、物品（１００）の重量値を制御装置（４０）に送信する。このとき、制御装置（４０）は、重量測定部（３）からの重量値を受信し、その重量値（決定重量値）をトリガにして読取要求を読取部（２０）に送信する。読取部（２０）は、読取要求に応じて、物品（１００）に設けられたＩＤタグ（１０）とアンテナ（２１）を介して通信し、タグ識別子（１０’）を取得する読み取り動作を行なう。このように、上記のＳ６〜Ｓ８以外の動作では、上記の読み取り動作が行なわれない上に、ＩＤタグ（１０）のアンテナ（１１）と読取部（２０）のアンテナ（２１）から電波や電磁波が発生しない。特に、重量測定部（３）が物品（１００）の重量値の測定を行なうときには、上記の読み取り動作が行なわれない。このように、本発明の電子秤（１）では、重量測定部（３）が物品（１００）の重量値の測定を行なった後に、読取部（２０）がＩＤタグ（１０）の情報｛タグ識別子（１０’）｝の読み取りを行なう。このため、重量測定部（３）は、電波や電磁波が電子秤（１）に対してノイズとして影響を受けることなく、正確に物品（１００）の重量値を測定することができる。従って、本発明の電子秤（１）では、物品（１００）の重量値の測定と、物品（１００）に設けられたＩＤタグ（１０）の情報の読み取りとを正確に行なうことができる。
【００１８】
本発明の電子秤（１）は、更に、記憶装置（４２）と、表示装置（４１）とを具備している。
前記測定結果生成部（４６）は、格納制御部（４７）と、表示制御部（４８）とを具備している。
前記格納制御部（４７）は、前記重量値受信部（４３）により受信された前記重量値と、前記タグ受信部（４５）により受信された前記タグ識別子（１０’）とを前記測定結果として前記記憶装置（４２）に格納する（Ｓ４、Ｓ１０）。
前記表示制御部（４８）は、測定結果表示指示に応じて、前記重量値と前記タグ識別子（１０’）とを前記記憶装置（４２）から読み出して前記表示装置（４１）に表示する（Ｓ１１−ＹＥＳ、Ｓ１２）。
【００１９】
本発明の電子秤（１）では、制御装置（４０）は、正確な物品（１００）の重量値（決定重量値）とＩＤタグの情報｛タグ識別子（１０’）｝とを測定結果として記憶装置（４２）に格納する。このため、本発明の電子秤（１）では、制御装置（４０）は、測定結果表示指示に応じて、記憶装置（４２）に格納された測定結果を表示装置（４１）に表示することにより、正確な物品（１００）の重量値とＩＤタグ（１０）の情報とをユーザに通知することができる。
【００２０】
本発明の電子秤（１）は、更に、記憶装置（４２）を具備している。
前記制御装置（４０）は、表示装置（６１）を具備するユーザ端末（６）にネットワーク（７）を介して接続されている。
前記測定結果生成部（４６）は、格納制御部（４７）と、表示制御部（４８）とを具備している。
前記格納制御部（４７）は、前記重量値受信部（４３）により受信された前記重量値と、前記タグ受信部（４５）により受信された前記タグ識別子（１０’）とを前記測定結果として前記記憶装置（４２）に格納する（Ｓ４、Ｓ１０）。
前記表示制御部（４８）は、前記測定結果表示指示に応じて、前記重量値と前記タグ識別子（１０’）とを前記記憶装置（４２）から読み出して前記ユーザ端末（６）の前記表示装置（６１）に表示する（Ｓ２１−ＹＥＳ、Ｓ２２、Ｓ２３）。
【００２１】
本発明の電子秤（１）では、制御装置（４０）は、正確な物品（１００）の重量値（決定重量値）とＩＤタグの情報｛タグ識別子（１０’）｝とを測定結果として記憶装置（４２）に格納する。このため、本発明の電子秤（１）では、制御装置（４０）は、ユーザ端末（６）からの測定結果表示指示に応じて、記憶装置（４２）に格納された測定結果をユーザ端末（６）の表示装置（６１）に表示することにより、ユーザ端末（６）を持参して遠隔地にいるユーザに対して、正確な物品（１００）の重量値とＩＤタグ（１０）の情報とを通知することができる。
【００２２】
本発明の電子秤（１）において、前記物品（１００）には、複数の前記ＩＤタグ（１０；１０−１、１０−２、１０−３）が設けられている。
この場合、前記記憶装置（４２）には制御番号が格納されている。
前記タグ受信部（４５）は、前記読取部（２０）からの複数の前記タグ識別子（１０’；１０−１’、１０−２’、１０−３’）を受信する（Ｓ９）。
前記格納制御部（４７）は、前記制御番号に対応付けて、前記重量値受信部（４３）により受信された前記重量値と、前記タグ受信部（４５）により受信された前記複数のタグ識別子（１０’；１０−１’、１０−２’、１０−３’）とを前記測定結果として前記記憶装置（４２）に格納する（Ｓ４、Ｓ１０）。
前記表示制御部（４８）は、前記測定結果表示指示に応じて、前記制御番号に対応する前記重量値と前記複数のタグ識別子（１０’；１０−１’、１０−２’、１０−３’）とを前記記憶装置（４２）から読み出して前記表示装置（４１）（６１）に表示する（Ｓ１１−ＹＥＳ、Ｓ１２）（Ｓ２１、Ｓ２２、Ｓ２３）。
【００２３】
物品（１００）に複数のＩＤタグ（１０−１、１０−２、１０−３）が設けられている場合がある。このような場合でも、本発明の電子秤（１）では、重量測定部（３）が物品（１００）の重量値（決定重量値）の測定を行なった後に、読取部（２０）が複数のＩＤタグ（１０−１、１０−２、１０−３）の情報｛タグ識別子（１０−１’、１０−２’、１０−３’）｝の読み取りを行なう。このように、本発明の電子秤（１）では、読み取った情報｛タグ識別子（１０−１’、１０−２’、１０−３’）｝に対して重量値がばらつくことがないため、物品（１００）の重量値の測定と、物品（１００）に設けられた複数のＩＤタグ（１０−１、１０−２、１０−３）の情報の読み取りとに対する信頼性が向上する。
制御装置（４０）は、正確な物品（１００）の重量値（決定重量値）と複数のＩＤタグ（１０−１、１０−２、１０−３）の情報｛タグ識別子（１０−１’、１０−２’、１０−３’）｝とを測定結果として記憶装置（４２）に格納する。このため、本発明の電子秤（１）では、制御装置（４０）は、測定結果表示指示に応じて、記憶装置（４２）に格納された測定結果を表示装置（４１）（６１）に表示することにより、正確な物品（１００）の重量値と複数のＩＤタグ（１０−１、１０−２、１０−３）の情報とをユーザに通知することができる。この場合、重量値（決定重量値）は、複数のタグ識別子（１０−１’、１０−２’、１０−３’）に対して同じ重量値であるため、ユーザは、表示装置（４１）（６１）に表示された測定結果を見たとき、その測定結果を信頼することができる。
【００２４】
本発明の電子秤（１）において、前記タグ識別子（１０’）は、前記ＩＤタグ（１０）を識別するためのＩＤと、前記ＩＤタグ（１０）に設けられた前記物品（１００）を表す物品情報とを含んでいる。
前記複数のタグ識別子（１０’；１０−１’、１０−２’、１０−３’）のうちの第１タグ識別子（１０−１’）の前記物品情報は、前記物品（１００）を製造する製造元を表す製造元情報を含んでいる。
前記複数のタグ識別子（１０’；１０−１’、１０−２’、１０−３’）のうちの第２タグ識別子（１０−２’）の前記物品情報は、前記物品（１００）を流通する流通元を表す流通元情報を含んでいる。
前記複数のタグ識別子（１０’；１０−１’、１０−２’、１０−３’）のうちの第３タグ識別子（１０−３’）の前記物品情報は、前記物品（１００）を販売する販売元を表す販売元情報を含んでいる。
【発明の効果】
【００２５】
本発明の測定システムでは、物品の重量値の測定と、物品に設けられたＩＤタグの情報の読み取りとを正確に行なうことができる。
本発明の測定システムでは、正確な重量値とＩＤタグの情報とをユーザに通知することができる。
本発明の測定システムでは、遠隔地にいるユーザに対して、正確な重量値とＩＤタグの情報とを通知することができる。
本発明の測定システムでは、物品の重量値の測定と、物品に設けられたＩＤタグの情報の読み取りとに対する信頼性が向上する。
【発明を実施するための最良の形態】
【００２６】
以下に添付図面を参照して、本発明の測定システムについて詳細に説明する。
【００２７】
（第１実施形態）
図１は、本発明の第１実施形態による測定システムの構成を示すブロック図である。第１実施形態による測定システムは、電子秤１、サーバ４、ユーザ端末６を具備している。
電子秤１とサーバ４は、ネットワーク５に接続されている。サーバ４とユーザ端末６は、有線又は無線であるネットワーク７に接続されている。ユーザ端末６は、ＰＣ（Ｐｅｒｓｏｎａｌ  Ｃｏｍｐｕｔｅｒ）、又は、携帯端末である。携帯端末としてはＰＤＡ（Ｐｅｒｓｏｎａｌ  Ｄｉｇｉｔａｌ  Ａｓｓｉｓｔａｎｔ）、携帯電話機が例示される。例えば、ユーザ端末６が携帯端末である場合、サーバ４とユーザ端末６とを接続するネットワーク７は、無線ネットワークである。
【００２８】
図１に示されるように、電子秤１は、電子秤本体部２、受皿部３０、アンテナ２１、重量測定部３、リーダライタ２０を具備している。
【００２９】
受皿部３０は、非金属である受皿３１、カバー３２を含み、アンテナ２１は受皿部３０に設けられている。具体的には、電子秤本体部２上に受皿３１が設けられ、受皿３１上にアンテナ２１が設けられ、アンテナ２１上にカバー３２が設けられている。カバー３２上には、物品１００が載置可能である。カバー３２は、アンテナ２１が物品１００に接することにより破損したり汚れたりしないようにしている。
【００３０】
重量測定部３は、電子秤本体部２内に設けられ、ロードセル方式が適用された重量センサを含んでいる。ロードセル方式は、既知の方式であり、ひずみゲージを使用し、荷重を電圧の変化として測定し、その電圧を荷重に対応する重量値に変換する。ひずみゲージとは、ゆがみやひずみを電圧に変換するセンサである。重量センサにロードセル方式が適用された場合、重量測定部３は、受皿部３０に物品１００が載置されたときの荷重を電圧として測定し、その電圧を、物品１００の重量を表す重量値に変換する。
重量測定部３は、ネットワーク５を介してサーバ４に接続されている。受皿部３０に物品１００が載置されたときに、重量測定部３は、物品１００の重量を検出し、物品１００の重量を表す重量値をサーバ４に送信する。具体的には、受皿部３０に物品１００が載置されたときに、重量測定部３は、受皿部３０と物品１００との重量を検出する。このとき、重量測定部３は、受皿部３０と物品１００との重量から、受皿部３０の重量を減算することにより、物品１００の重量を算出し、算出された重量を表す重量値をサーバ４に送信する。
【００３１】
物品１００には、ＩＤタグ１０が設けられている。ＩＤタグ１０は、ＲＦＩＤ（Ｒａｄｉｏ  Ｆｒｅｑｕｅｎｃｙ  Ｉｄｅｎｔｉｆｉｃａｔｉｏｎ）タグ、無線ＩＤタグとも呼ばれている。また、ＩＤタグは、ＩＣタグと呼ばれることもある。図２は、ＩＤタグ１０の構成を示すブロック図である。ＩＤタグ１０は、アンテナ１１、ＩＣチップ１２を具備している。ＩＣチップ１２は、送信部１３、受信部１４、記憶部１５、整流部１６を具備している。記憶部１５には、タグ識別子１０’が格納（保持）されている。
ＩＤタグ１０のアンテナ１１は、上記のアンテナ２１からの読出信号として電波を受信する。ＩＤタグ１０の受信部１４は、そのアンテナ１１が電波を受信したことを検知する。このとき、ＩＤタグ１０の整流部１６は、共振作用により起電力を発生する（例示；電磁誘導）。ＩＤタグ１０の送信部１３は、起電力により、その記憶部１５からタグ識別子１０’を読み出して、返答信号としてタグ識別子１０’を送信する。
【００３２】
図３は、タグ識別子１０’を示している。タグ識別子１０’は、ＩＤタグ１０を識別するためのユニークなＩＤと、ＩＤタグ１０に設けられた物品１００を表す物品情報とを含む。
物品情報は、例えば、物品１００の名称と、物品１００が撮影された画像と、物品１００に関連するメーカ名を表すメーカ情報とを含んでいる。メーカ情報は、物品１００を製造する製造元を表す製造元情報と、物品１００を流通する流通元を表す流通元情報と、物品１００を販売する販売元を表す販売元情報とのいずれか１つを含んでいる。タグ識別子１０’は、メーカの作業員によって、ＩＤタグ１０の記憶部１５に予めに格納される。
【００３３】
リーダライタ２０は、電子秤本体部２内に設けられている。そのリーダライタ２０は、上記のアンテナ２１と接続され、ネットワーク５を介してサーバ４に接続されている。図４は、リーダライタ２０の構成を示すブロック図である。リーダライタ２０は、コンピュータであるコントローラー２２を具備している。コントローラー２２は、送信部２３、受信部２４、制御部２５を具備している。
リーダライタ２０は、ＩＤタグ１０からタグ識別子１０’を読み取る読取部として機能する。この場合、リーダライタ２０の制御部２５は、サーバ４から読取要求を受信したとき、その送信部２３、受信部２４、記憶部２５を制御する。この場合、リーダライタ２０の送信部２３は、読取要求に応じて、アンテナ２１を介して電波によって読出信号をＩＤタグ１０に送信する。リーダライタ２０の受信部２４は、アンテナ２１を介して、ＩＤタグ１０からの返答信号であるタグ識別子１０’を受信する。リーダライタ２０の制御部２５は、その受信部２４が受信したタグ識別子１−ｉ’をサーバ４に送信する。
また、リーダライタ２０は、ＩＤタグ１０にタグ識別子１０’を書き込む書込部としても機能するが、本実施例では、その説明を省略する。
【００３４】
図１に示されるように、サーバ４は、制御装置４０、表示装置４１、記憶装置４２を具備している。表示装置４１、記憶装置４２は、制御装置４０に接続されている。図５に示されるように、記憶装置４２には、制御番号が予め格納され、制御装置４０によってタグ識別子１０’、重量値が格納される。記憶装置４２に格納される制御番号、タグ識別子１０’、重量値については後述する。
【００３５】
制御装置４０は、上記のネットワーク５に接続されている。図６は、制御装置４０の構成を示すブロック図である。制御装置４０は、実行部であるＣＰＵ５０と、記憶部５１とを具備している。記憶部５１には、ＣＰＵ５０が実行するためのコンピュータプログラム５２が格納されている。コンピュータプログラム５２は、重量値受信部４３、トリガ制御部４４、タグ受信部４５、測定結果生成部４６を含んでいる。
【００３６】
重量値受信部４３は、電子秤１の重量測定部３から送信された重量値を受信する。この重量値受信部４３は、受信している重量値がプラスへ上昇しているときに、物品１００が電子秤１の受皿３０に載置されていることを感知する。重量値受信部４３は、受信している重量値が所定時間において所定変化幅以内になったときの重量値を決定重量値とする。例えば、所定時間を１秒、所定変化幅を±１ｇ（グラム）としたとき、重量値受信部４３は、受信している重量値が１０ｇ増加した後、受信している重量値が１秒間変化しない場合、その重量値を決定重量値とする。
【００３７】
トリガ制御部４４は、重量値受信部４３が決定重量値を受信したときに、上記の読取要求をリーダライタ２０に送信する。
タグ受信部４５は、リーダライタ２０からのタグ識別子１０’を受信する。このとき、アンテナ２１（リーダライタ２０）の動作中において、重量値受信部４３は、電子秤１の重量測定部３からの出力を無効とする。
【００３８】
測定結果生成部４６は、重量値受信部４３により受信された決定重量値とタグ受信部４５により受信されたタグ識別子１０’とを含む測定結果を生成する。この測定結果生成部４６は、格納制御部４７、表示制御部４８を含んでいる。
【００３９】
格納制御部４７は、重量値受信部４３が決定重量値を受信したときに、制御番号に対応付けて、決定重量値を測定結果として記憶装置４２に格納する。また、格納制御部４７は、タグ受信部４５がタグ識別子１０’を受信したときに、制御番号に対応付けて、タグ識別子１０’を測定結果として記憶装置４２に格納する。
【００４０】
測定結果生成部４６（格納制御部４７、表示制御部４８）には、例えば、自動モード、又は、ユーザ設定モードが設定される。
自動モードが設定された場合、測定結果生成部４６の格納制御部４７は、制御番号に対応付けて決定重量値とタグ識別子１０’とを測定結果として記憶装置４２に格納したとき、その測定結果を表示するための測定結果表示指示を表示制御部４８に出力する。この場合、表示制御部４８は、測定結果表示指示に応じて、制御番号に対応する決定重量値とタグ識別子１０’とを記憶装置４２から読み出して表示装置４１に表示する。
ユーザ設定モードが設定された場合、測定結果生成部４６の格納制御部４７は、制御番号に対応付けて決定重量値とタグ識別子１０’とを測定結果として記憶装置４２に格納したとき、測定結果表示指示を表示制御部４８に出力しない。この場合、ユーザは、サーバ４の制御装置４０を操作して測定結果表示指示を行なう。この測定結果表示指示には、物品１００の名称と、メーカ情報（製造元情報、流通元情報、販売元情報）との少なくとも１つがキーワードとして含まれる。表示制御部４８は、ユーザによる測定結果表示指示に応じて、記憶装置４２を参照して、そのキーワードに対応する制御番号を検索し、その制御番号に対応する決定重量値とタグ識別子１０’とを記憶装置４２から読み出して表示装置４１に表示する。
【００４１】
図１に示されるように、ユーザ端末６は、端末制御装置６０、表示装置６１を具備している。表示装置６１は、端末制御装置６０に接続されている。
【００４２】
端末制御装置６０は、上記のネットワーク７を介してサーバ４の制御装置４０に接続されている。図７は、端末制御装置６０の構成を示すブロック図である。端末制御装置６０は、実行部であるＣＰＵ６２と、記憶部６３とを具備している。記憶部６３には、ＣＰＵ６２が実行するためのコンピュータプログラム６４が格納されている。コンピュータプログラム６４は、制御部６５を含んでいる。
例えば、ユーザは、ユーザ端末６を持参しながら買い物をするときに、ユーザ端末６を用いて遠隔地からサーバ４にアクセスして測定結果（決定重量値とタグ識別子１０’）を閲覧することにより、足りない物品を把握することができる。この場合、ユーザは、ユーザ端末６の端末制御装置６０を操作して測定結果表示指示を行なう。このとき、端末制御装置６０の制御部６５は、ユーザによる操作に応じて、測定結果表示指示をサーバ４に送信する。この測定結果表示指示には、物品１００の名称と、メーカ情報（製造元情報、流通元情報、販売元情報）との少なくとも１つがキーワードとして含まれる。サーバ４の表示制御部４８は、ユーザによる測定結果表示指示に応じて、記憶装置４２を参照して、そのキーワードに対応する制御番号を検索し、その制御番号に対応する決定重量値とタグ識別子１０’とを記憶装置４２から読み出してユーザ端末６に送信する。ユーザ端末６の制御部６５は、サーバ４から送信された決定重量値とタグ識別子１０’とを表示装置６１に表示する。
【００４３】
本発明の第１実施形態による測定システムでは、物品１００の重量値の測定と、物品１００に設けられたＩＤタグ１０の情報の読み取りとを正確に行なうことができる。この理由について説明する。
【００４４】
ＩＤタグ１０とリーダライタ２０とが電波によって通信するとき、ＩＤタグ１０のアンテナ１１とリーダライタ２０のアンテナ２１から、電波や電磁波が発生し、これが電子秤１に対してノイズとして悪影響を与える。これについて説明する。上述のように、重量測定部３は、受皿部３０に物品１００が載置されたときの荷重（受皿部３０のひずみ）を電圧として測定し、その電圧を物品１００の重量値に変換する。重量測定部３において、受皿部３０のひずみによって測定される電圧は微弱である。この微弱な電圧はノイズに影響しやすい。このため、重量測定部３は、ノイズの影響を受けた場合、誤った重量値を測定してしまう。
このような場合、受皿部３０の受皿３１、カバー３２を非金属から金属に変更することにより、アンテナ２１と重量測定部３の間を金属でシールドすることが考えられるが、金属である受皿部３０がＩＤタグ１０の情報（タグ識別子）の読み取りに影響を与えてしまう。
【００４５】
そこで、本発明の第１実施形態による測定システムでは、電子秤１の受皿部３０に物品１００が載置されたときに、重量測定部３は、物品１００の重量値をサーバ４に送信する。このとき、サーバ４は、重量測定部３からの重量値を受信し、その重量値（決定重量値）をトリガにして読取要求をリーダライタ２０に送信する。リーダライタ２０は、読取要求に応じて、物品１００に設けられたＩＤタグ１０とアンテナ２１を介して通信し、タグ識別子１０’を取得する読み取り動作を行なう。このように、読み取り動作が行なわれないときは、ＩＤタグ１０のアンテナ１１とリーダライタ２０のアンテナ２１から電波や電磁波が発生しない。特に、重量測定部３が物品１００の重量値の測定を行なうときには、上記の読み取り動作が行なわれない。本発明の第１実施形態による測定システムでは、重量測定部３が物品１００の重量値の測定を行なった後に、リーダライタ２０がＩＤタグ１０の情報（タグ識別子１０’）の読み取りを行なうため、重量測定部３は、電波や電磁波が電子秤１に対してノイズとして影響を受けることなく、正確に物品１００の重量値を測定することができる。
【００４６】
次に、本発明の第１実施形態による測定システムの動作について説明する。
【００４７】
ここで、物品１００には１つのＩＤタグ１０が設けられているものとする。そのＩＤタグ１０が保持するタグ識別子１０’は、図１１に示されるように、ＩＤ“０１１”と、物品情報とを含んでいるものとする。また、物品１００の実際の重量値は、２５０ｇであるものとする。また、サーバ４の測定結果生成部４６（格納制御部４７、表示制御部４８）には、上記の自動モードが設定されているものとする。
【００４８】
まず、電子秤１の重量測定部３は、電子秤１の受皿部３０に物品１００が載置されたか否かを監視する（図８のステップＳ１−ＮＯ）。いま、ユーザは、受皿部３０に物品１００を載置する。このとき、重量測定部３は、物品１００の重量を検出し（図８のステップＳ１−ＹＥＳ）、物品１００の重量を表す重量値をサーバ４に送信する（図８のステップＳ２）。
サーバ４の重量値受信部４３は、電子秤１の重量測定部３から送信された重量値を受信し、重量値受信処理を行なう（図８のステップＳ３）。重量値受信処理において、重量値受信部４３は、受信している重量値が“２５０ｇ”を表していて、その後に受信している重量値が１秒間変化しない場合、その重量値“２５０ｇ”を決定重量値とする。
重量値受信部４３が決定重量値“２５０ｇ”を受信したときに、サーバ４の格納制御部４７は、図１２に示されるように、制御番号“００１”に対応付けて、決定重量値“２５０ｇ”を測定結果として記憶装置４２に格納する（図８のステップＳ４）。同時に、サーバ４のトリガ制御部４４は、読取要求を電子秤１のリーダライタ２０に送信する（図８のステップＳ５）。このとき、アンテナ２１（リーダライタ２０）の動作中において、重量値受信部４３は、電子秤１の重量測定部３からの出力を無効とする。
【００４９】
リーダライタ２０は、サーバ４からの読取要求に応じて、電波によって読出信号を送信する（図８のステップＳ６）。
ＩＤタグ１０は、読出信号（電波）に応じて、その記憶部１５からタグ識別子１０’（ＩＤ“０１１”、物品情報）を読み出して、電波によって返答信号（タグ識別子１０’）を送信する（図８のステップＳ７）。
リーダライタ２０は、ＩＤタグ１０からの返答信号（タグ識別子１０’）を受信して、タグ識別子１０’（ＩＤ“０１１”、物品情報）をサーバ４に送信する（図８のステップＳ８）。
サーバ４のタグ受信部４５は、リーダライタ２０からのタグ識別子１０’（ＩＤ“０１１”、物品情報）を受信し（図８のステップＳ９）、サーバ４の格納制御部４７は、図１２に示されるように、制御番号“００１”に対応付けて、タグ識別子１０’（ＩＤ“０１１”、物品情報）を測定結果として記憶装置４２に格納する（図８のステップＳ１０）。
【００５０】
サーバ４の測定結果生成部４６（格納制御部４７、表示制御部４８）に上記の自動モードが設定されている。このため、サーバ４の格納制御部４７は、制御番号“００１”に対応付けて決定重量値“２５０ｇ”とタグ識別子１０’（ＩＤ“０１１”、物品情報）とを測定結果として記憶装置４２に格納したとき、測定結果表示指示を表示制御部４８に出力する（図９のステップＳ１１−ＹＥＳ）。この場合、サーバ４の表示制御部４８は、測定結果表示指示に応じて、制御番号“００１”に対応する決定重量値“２５０ｇ”とタグ識別子１０’（ＩＤ“０１１”、物品情報）とを記憶装置４２から読み出して表示装置４１に表示する（図９のステップＳ１２）。
【００５１】
ユーザは、ユーザ端末６を持参して買い物をする場合がある。この場合、ユーザは、ユーザ端末６の端末制御装置６０を操作して、物品１００の名称とメーカ情報との少なくとも１つをキーワードとして含む測定結果表示指示を行なう（図１０のステップＳ２１）。サーバ４の表示制御部４８は、ユーザによる測定結果表示指示に応じて、記憶装置４２を参照して、そのキーワードに対応する制御番号“００１”を検索し、その制御番号“００１”に対応する決定重量値“２５０ｇ”とタグ識別子１０’（ＩＤ“０１１”、物品情報）とを記憶装置４２から読み出してユーザ端末６に送信する（図１０のステップＳ２２）。ユーザ端末６の制御部６５は、サーバ４から送信された決定重量値“２５０ｇ”とタグ識別子１０’（ＩＤ“０１１”、物品情報）とを表示装置６１に表示する（図１０のステップＳ２３）。
【００５２】
なお、再度、ユーザが受皿部３０に物品１００を載置する場合、本発明の第１実施形態による測定システムは、ステップＳ１〜Ｓ１０を実行する。この場合、ステップＳ４にて、サーバ４の格納制御部４７は、例えば、制御番号“０１１”に対応付けて、決定重量値“１２５ｇ”を測定結果として記憶装置４２に格納する。ステップＳ１０にて、サーバ４の格納制御部４７は、その制御番号“０１１”に対応付けて、タグ識別子１０’（ＩＤ“０１１”、物品情報）を測定結果として記憶装置４２に格納する。このとき、ステップＳ１０にて、格納制御部４７は、記憶装置４２を参照して、制御番号“０１１”に対応するタグ識別子１０’のＩＤ“０１１”と同じＩＤが格納されているか否かを調べる。測定結果として格納された制御番号“０１１”に対応するタグ識別子１０’のＩＤ“０１１”と、先に測定結果として格納された制御番号“００１”に対応するタグ識別子１０’のＩＤ“０１１”とが同じＩＤである。この場合、ステップＳ１０にて、格納制御部４７は、先に測定結果として格納された制御番号“００１”に対応する決定重量値“２５０ｇ”とタグ識別子１０’（ＩＤ“０１１”、物品情報）とを記憶装置４２から消去してもよい。
制御番号“００１”と決定重量値“２５０ｇ”とタグ識別子１０’（ＩＤ“０１１”、物品情報）とを記録として残す場合は、例えば、ステップＳ１０にて、サーバ４の格納制御部４７は、日時を表す日時情報（図示しない）も測定結果として制御番号に対応付けて記憶装置４２に格納する。この測定結果（決定重量値、タグ識別子、日時情報）が、ステップＳ１２にて表示装置４１に表示された場合や、ステップＳ２３にてユーザ端末６の表示装置６１に表示された場合、決定重量値“２５０ｇ”に対応する日時情報と、決定重量値“１２５ｇ”に対応する日時情報とにより、ユーザは、決定重量値の変化を把握することができる。
【００５３】
本発明の第１実施形態による測定システムでは、上述のステップＳ６〜Ｓ８以外の動作では、リーダライタ２０がＩＤタグ１０からタグ識別子１０’を読み取る読み取り動作が行なわれない上に、ＩＤタグ１０のアンテナ１１とリーダライタ２０のアンテナ２１から電波や電磁波が発生しない。特に、重量測定部３が物品１００の重量値の測定を行なうときには、上記の読み取り動作が行なわれない。本発明の第１実施形態による測定システムでは、重量測定部３が物品１００の重量値の測定を行なった後に、リーダライタ２０がＩＤタグ１０の情報（タグ識別子１０’）の読み取りを行なう。このため、重量測定部３は、電波や電磁波が電子秤１に対してノイズとして影響を受けることなく、正確に物品１００の重量値を測定することができる。従って、本発明の第１実施形態による測定システムでは、物品１００の重量値の測定と、物品１００に設けられたＩＤタグ１０の情報の読み取りとを正確に行なうことができる。
【００５４】
また、本発明の第１実施形態による測定システムでは、サーバ４は、正確な物品１００の重量値（決定重量値）とＩＤタグの情報（タグ識別子１０’）とを測定結果として記憶装置４２に格納する。このため、本発明の第１実施形態による測定システムでは、サーバ４は、測定結果表示指示に応じて、記憶装置４２に格納された測定結果を表示装置４１に表示することにより、正確な物品１００の重量値とＩＤタグ１０の情報とをユーザに通知することができる。
【００５５】
また、本発明の第１実施形態による測定システムでは、サーバ４は、ユーザ端末６からの測定結果表示指示に応じて、記憶装置４２に格納された測定結果をユーザ端末６の表示装置６１に表示することにより、ユーザ端末６を持参して遠隔地にいるユーザに対して、正確な物品１００の重量値とＩＤタグ１０の情報とを通知することができる。
【００５６】
物品１００には、図１３に示されるように、複数のＩＤタグ１０としてＩＤタグ１０−１、１０−２、１０−３が設けられている場合がある。ＩＤタグ１０−１、１０−２、１０−３の各々は、上記のＩＤタグと構成が同じである。
ＩＤタグ１０−１の記憶部１５には、上記のタグ識別子１０’であるタグ識別子１０−１’が格納（保持）されている。そのＩＤタグ１０−１が保持するタグ識別子１０−１’は、図１４に示されるように、ＩＤ“０２１”と、物品情報とを含み、その物品情報は、物品１００の名称、画像と、メーカ情報として製造元情報とを含んでいるものとする。
ＩＤタグ１０−２の記憶部１５には、上記のタグ識別子１０’であるタグ識別子１０−２’が格納（保持）されている。そのＩＤタグ１０−２が保持するタグ識別子１０−２’は、図１５に示されるように、ＩＤ“０２２”と、物品情報とを含み、その物品情報は、物品１００の名称、画像と、メーカ情報として流通元情報とを含んでいるものとする。
ＩＤタグ１０−３の記憶部１５には、上記のタグ識別子１０’であるタグ識別子１０−３’が格納（保持）されている。そのＩＤタグ１０−３が保持するタグ識別子１０−３’は、図１６に示されるように、ＩＤ“０２３”と、物品情報とを含み、その物品情報は、物品１００の名称、画像と、メーカ情報として販売元情報とを含んでいるものとする。
また、物品１００の実際の重量値は、１００ｇであるものとする。また、サーバ４の測定結果生成部４６（格納制御部４７、表示制御部４８）には、上記の自動モードが設定されているものとする。
【００５７】
この場合でも、本発明の第１実施形態による測定システムは、ステップＳ１〜Ｓ１０、Ｓ１１〜Ｓ１２、Ｓ２１〜Ｓ２３を実行する。
いま、ユーザは、受皿部３０に物品１００を載置する。このとき、重量測定部３は、物品１００の重量を検出し（図８のステップＳ１−ＹＥＳ）、物品１００の重量を表す重量値をサーバ４に送信する（図８のステップＳ２）。
サーバ４の重量値受信部４３は、電子秤１の重量測定部３から送信された重量値を受信し、重量値受信処理を行なう（図８のステップＳ３）。重量値受信処理において、重量値受信部４３は、受信している重量値が“１００ｇ”を表していて、その後に受信している重量値が１秒間変化しない場合、その重量値“１００ｇ”を決定重量値とする。
重量値受信部４３が決定重量値“１００ｇ”を受信したときに、サーバ４の格納制御部４７は、図１７に示されるように、制御番号“００２”に対応付けて、決定重量値“１００ｇ”を測定結果として記憶装置４２に格納する（図８のステップＳ４）。同時に、サーバ４のトリガ制御部４４は、読取要求を電子秤１のリーダライタ２０に送信する（図８のステップＳ５）。このとき、アンテナ２１（リーダライタ２０）の動作中において、重量値受信部４３は、電子秤１の重量測定部３からの出力を無効とする。
【００５８】
リーダライタ２０は、サーバ４からの読取要求に応じて、電波によって読出信号を送信する（図８のステップＳ６）。
ＩＤタグ１０−１は、読出信号（電波）に応じて、その記憶部１５からタグ識別子１０−１’｛ＩＤ“０２１”、物品情報（製造元情報）｝を読み出して、電波によって返答信号（タグ識別子１０−１’）を送信する。ＩＤタグ１０−２は、読出信号（電波）に応じて、その記憶部１５からタグ識別子１０−２’｛ＩＤ“０２２”、物品情報（流通元情報）｝を読み出して、電波によって返答信号（タグ識別子１０−２’）を送信する。ＩＤタグ１０−３は、読出信号（電波）に応じて、その記憶部１５からタグ識別子１０−３’｛ＩＤ“０２３”、物品情報（販売元情報）｝を読み出して、電波によって返答信号（タグ識別子１０−３’）を送信する（図８のステップＳ７）。
【００５９】
リーダライタ２０は、ＩＤタグ１０−１からの返答信号（タグ識別子１０−１’）を受信して、タグ識別子１０−１’｛ＩＤ“０２１”、物品情報（製造元情報）｝をサーバ４に送信する。リーダライタ２０は、ＩＤタグ１０−２からの返答信号（タグ識別子１０−２’）を受信して、タグ識別子１０−２’｛ＩＤ“０２２”、物品情報（流通元情報）｝をサーバ４に送信する。リーダライタ２０は、ＩＤタグ１０−３からの返答信号（タグ識別子１０−３’）を受信して、タグ識別子１０−３’｛ＩＤ“０２３”、物品情報（販売元情報）｝をサーバ４に送信する（図８のステップＳ８）。
ここで、ステップＳ８において、リーダライタ２０は、タグ識別子１０−１’、１０−２’、１０−３’をサーバ４に送信するときに、順番に送信してもよいし、一括して送信してもよい。
【００６０】
サーバ４のタグ受信部４５は、リーダライタ２０からのタグ識別子１０−１’｛ＩＤ“０２１”、物品情報（製造元情報）｝を受信し（図８のステップＳ９）、サーバ４の格納制御部４７は、図１７に示されるように、制御番号“００２”に対応付けて、タグ識別子１０−１’｛ＩＤ“０２１”、物品情報（製造元情報）｝を測定結果として記憶装置４２に格納する（図８のステップＳ１０）。また、ステップＳ９にて、タグ受信部４５は、リーダライタ２０からのタグ識別子１０−２’｛ＩＤ“０２２”、物品情報（流通元情報）｝を受信し、ステップＳ１０にて、格納制御部４７は、図１７に示されるように、制御番号“００２”に対応付けて、タグ識別子１０−２’｛ＩＤ“０２２”、物品情報（流通元情報）｝を測定結果として記憶装置４２に格納する。また、ステップＳ９にて、タグ受信部４５は、リーダライタ２０からのタグ識別子１０−３’｛ＩＤ“０２３”、物品情報（販売元情報）｝を受信し、ステップＳ１０にて、格納制御部４７は、図１７に示されるように、制御番号“００２”に対応付けて、タグ識別子１０−３’｛ＩＤ“０２３”、物品情報（販売元情報）｝を測定結果として記憶装置４２に格納する。
ここで、ステップＳ９において、サーバ４のタグ受信部４５は、リーダライタ２０からのタグ識別子１０−１’、１０−２’、１０−３’を受信するときに、順番に受信してもよいし、一括して受信してもよい。
【００６１】
サーバ４の測定結果生成部４６（格納制御部４７、表示制御部４８）に上記の自動モードが設定されている。このため、サーバ４の格納制御部４７は、制御番号“００２”に対応付けて、決定重量値“１００ｇ”と、タグ識別子１０−１’｛ＩＤ“０２１”、物品情報（製造元情報）｝、タグ識別子１０−２’｛ＩＤ“０２２”、物品情報（流通元情報）｝、タグ識別子１０−３’｛ＩＤ“０２３”、物品情報（販売元情報）｝とを測定結果として記憶装置４２に格納したとき、測定結果表示指示を表示制御部４８に出力する（図９のステップＳ１１−ＹＥＳ）。この場合、サーバ４の表示制御部４８は、測定結果表示指示に応じて、制御番号“００２”に対応する決定重量値“１００ｇ”とタグ識別子１０−１’｛ＩＤ“０２１”、物品情報（製造元情報）｝、タグ識別子１０−２’｛ＩＤ“０２２”、物品情報（流通元情報）｝、タグ識別子１０−３’｛ＩＤ“０２３”、物品情報（販売元情報）｝とを記憶装置４２から読み出して表示装置４１に表示する（図９のステップＳ１２）。
【００６２】
ユーザは、ユーザ端末６を持参して買い物をする場合がある。この場合、ユーザは、ユーザ端末６の端末制御装置６０を操作して、物品１００の名称とメーカ情報（製造元情報、流通元情報、販売元情報）との少なくとも１つをキーワードとして含む測定結果表示指示を行なう（図１０のステップＳ２１）。サーバ４の表示制御部４８は、ユーザによる測定結果表示指示に応じて、記憶装置４２を参照して、そのキーワードに対応する制御番号“００２”を検索し、その制御番号“００２”に対応する決定重量値“１００ｇ”とタグ識別子１０−１’｛ＩＤ“０２１”、物品情報（製造元情報）｝、タグ識別子１０−２’｛ＩＤ“０２２”、物品情報（流通元情報）｝、タグ識別子１０−３’｛ＩＤ“０２３”、物品情報（販売元情報）｝とを記憶装置４２から読み出してユーザ端末６に送信する（図１０のステップＳ２２）。ユーザ端末６の制御部６５は、サーバ４から送信された決定重量値“１００ｇ”とタグ識別子１０−１’｛ＩＤ“０２１”、物品情報（製造元情報）｝、タグ識別子１０−２’｛ＩＤ“０２２”、物品情報（流通元情報）｝、タグ識別子１０−３’｛ＩＤ“０２３”、物品情報（販売元情報）｝とを表示装置６１に表示する（図１０のステップＳ２３）。
【００６３】
上述のように、物品１００に複数のＩＤタグ１０−１、１０−２、１０−３が設けられている場合がある。このような場合でも、本発明の第１実施形態による測定システムでは、重量測定部３が物品１００の重量値（決定重量値）の測定を行なった後に、リーダライタ２０がＩＤタグ１０−１、１０−２、１０−３の情報（タグ識別子１０−１’、１０−２’、１０−３’）の読み取りを行なう。このように、本発明の第１実施形態による測定システムでは、読み取った情報（タグ識別子１０−１’、１０−２’、１０−３’）に対して重量値がばらつくことがないため、物品１００の重量値の測定と、物品１００に設けられた複数のＩＤタグ１０−１、１０−２、１０−３の情報の読み取りとに対する信頼性が向上する。
【００６４】
また、本発明の第１実施形態による測定システムでは、サーバ４は、正確な物品１００の重量値（決定重量値）とＩＤタグ１０−１、１０−２、１０−３の情報（タグ識別子１０−１’、１０−２’、１０−３’）とを測定結果として記憶装置４２に格納する。このため、本発明の第１実施形態による測定システムでは、サーバ４は、測定結果表示指示に応じて、記憶装置４２に格納された測定結果を表示装置４１に表示することにより、正確な物品１００の重量値とＩＤタグ１０−１、１０−２、１０−３の情報とをユーザに通知することができる。この場合、重量値（決定重量値）は、タグ識別子１０−１’、１０−２’、１０−３’に対して同じ重量値であるため、ユーザは、表示装置４１に表示された測定結果を見たとき、その測定結果を信頼することができる。
【００６５】
また、本発明の第１実施形態による測定システムでは、サーバ４は、ユーザ端末６からの測定結果表示指示に応じて、記憶装置４２に格納された測定結果をユーザ端末６の表示装置６１に表示することにより、ユーザ端末６を持参して遠隔地にいるユーザに対して、正確な物品１００の重量値とＩＤタグ１０−１、１０−２、１０−３の情報とを通知することができる。この場合、重量値（決定重量値）は、タグ識別子１０−１’、１０−２’、１０−３’に対して同じ重量値であるため、ユーザは、ユーザ端末６の表示装置６１に表示された測定結果を見たとき、その測定結果を信頼することができる。
【００６６】
なお、本発明の第１実施形態による測定システムでは、重量測定部３が物品１００の重量値（決定重量値）の測定を行なった後に、リーダライタ２０がＩＤタグ１０の情報（タグ識別子１０’）の読み取りを行なっているが、これに限定されない。第１実施形態の変形例として、リーダライタ２０がＩＤタグ１０の情報の読み取りを行なった後に、重量測定部３が物品１００の重量値の測定を行なってもよい。
この変形例の場合、タグ識別子１０’が重量値よりも先に記憶装置４２に格納されるため、重量測定部３が物品１００の重量値の測定を行なっているときに、サーバ４の制御装置４０は、記憶装置４２を参照して、タグ識別子１０’に含まれるＩＤを用いて情報（例示；同じＩＤがあるか、同じ物品の名称があるか）を検索することができる。
しかし、この変形例では、アンテナ２１（リーダライタ２０）を常時動作させることによる電力が無駄に消費される。また、この変形例では、電子秤１の受皿部３０に物品１００が載置されていなくても、電子秤１の近くに物品１００が存在したときに、リーダライタ２０がＩＤタグ１０の情報の読み取りを行なう可能性がある。このため、サーバ４は、ＩＤタグ１０の情報の読み取りをトリガにして、物品１００の重量値の測定を開始することができない。物品１００の重量値の測定を開始するためには、サーバ４に手動スイッチを設け、ＩＤタグ１０の情報の読み取りを行なった後に、スイッチの操作によって、アンテナ２１（リーダライタ２０）の動作を無効にし、重量測定部３を動作させなければならい。
【００６７】
一方、本発明の第１実施形態による測定システムでは、物品１００の重量値（決定重量値）の測定をトリガにして、ＩＤタグ１０の情報（タグ識別子１０’）の読み取りを行なうため、物品１００の重量値（決定重量値）の測定と、物品１００に設けられたＩＤタグ１０の情報（タグ識別子１０’）の読み取りとを正確に行なうことができ、上記の変形例よりも簡便に行なうことができる。
【００６８】
（第２実施形態）
上記の第１実施形態による測定システムでは、電子秤１と、サーバ４と、ユーザ端末６を具備しているが、図１８に示されるように、本発明の第２実施形態による測定システムとして、サーバ４の機能は電子秤１に設けられていてもよい。第２実施形態では第１実施形態と重複する説明を省略する。
この場合、電子秤１は、電子秤本体部２、受皿部３０、アンテナ２１、重量測定部３、リーダライタ２０、制御装置４０、表示装置４１、記憶装置４２を具備している。制御装置４０、表示装置４１、記憶装置４２は、電子秤本体部２内に設けられている。重量測定部３、リーダライタ２０、表示装置４１、記憶装置４２は、制御装置４０に接続されている。ユーザ端末６の端末制御装置６０は、ネットワーク７を介して制御装置４０に接続されている。
本発明の第２実施形態による測定システムでは、図１９に示されるように、制御装置４０、重量測定部３、リーダライタ２０、ＩＤタグ１０の動作は第１実施形態と同じである。また、図２０に示されるように、制御装置４０の動作は第１実施形態と同じであり、図２１に示されるように、制御装置４０、ユーザ端末６の動作は第１実施形態と同じである。また、本発明の第２実施形態による測定システムによる効果は、第１実施形態と同じである。
【００６９】
以上の説明により、本発明の測定システムでは、物品の重量値の測定と、物品に設けられたＩＤタグの情報の読み取りとを正確に行なうことができる。
本発明の測定システムでは、正確な重量値とＩＤタグの情報とをユーザに通知することができる。
本発明の測定システムでは、遠隔地にいるユーザに対して、正確な重量値とＩＤタグの情報とを通知することができる。
本発明の測定システムでは、物品の重量値の測定と、物品に設けられたＩＤタグの情報の読み取りとに対する信頼性が向上する。
【図面の簡単な説明】
【００７０】
【図１】図１は、本発明の測定システムの構成を示すブロック図である。（第１実施形態）
【図２】図２は、本発明の測定システムにおけるＩＤタグ１０の構成を示すブロック図である。（第１実施形態、第２実施形態）
【図３】図３は、本発明の測定システムにおけるＩＤタグ１０の情報であるタグ識別子１０’を示している。（第１実施形態、第２実施形態）
【図４】図４は、本発明の測定システムにおけるリーダライタ２０の構成を示すブロック図である。（第１実施形態、第２実施形態）
【図５】図５は、本発明の測定システムにおける記憶装置４２を示している。（第１実施形態、第２実施形態）
【図６】図６は、本発明の測定システムにおける制御装置４０の構成を示すブロック図である。（第１実施形態、第２実施形態）
【図７】図７は、本発明の測定システムにおけるユーザ端末６の端末制御装置６０の構成を示すブロック図である。（第１実施形態、第２実施形態）
【図８】図８は、本発明の測定システムの動作を示すフローチャートである。（第１実施形態）
【図９】図９は、本発明の測定システムの動作を示すフローチャートである。（第１実施形態）
【図１０】図１０は、本発明の測定システムの動作を示すフローチャートである。（第１実施形態）
【図１１】図１１は、本発明の測定システムの動作を説明するための図である。（第１実施形態、第２実施形態）
【図１２】図１２は、本発明の測定システムの動作を説明するための図である。（第１実施形態、第２実施形態）
【図１３】図１３は、本発明の測定システムの動作を説明するための図である。（第１実施形態、第２実施形態）
【図１４】図１４は、本発明の測定システムの動作を説明するための図である。（第１実施形態、第２実施形態）
【図１５】図１５は、本発明の測定システムの動作を説明するための図である。（第１実施形態、第２実施形態）
【図１６】図１６は、本発明の測定システムの動作を説明するための図である。（第１実施形態、第２実施形態）
【図１７】図１７は、本発明の測定システムの動作を説明するための図である。（第１実施形態、第２実施形態）
【図１８】図１８は、本発明の測定システムの構成を示すブロック図である。（第２実施形態）
【図１９】図１９は、本発明の測定システムの動作を示すフローチャートである。（第２実施形態）
【図２０】図２０は、本発明の測定システムの動作を示すフローチャートである。（第２実施形態）
【図２１】図２１は、本発明の測定システムの動作を示すフローチャートである。（第２実施形態）
【符号の説明】
【００７１】
１    電子秤
２    電子秤本体部
３    重量測定部
４    サーバ
５    ネットワーク
６    ユーザ端末
７    ネットワーク
１０、１０−１、１０−２、１０−３    ＩＤタグ
１０’、１０−１’、１０−２’、１０−３’    タグ識別子
１１    アンテナ
１２    ＩＣチップ
１３    送信部
１４    受信部
１５    記憶部
１６    整流部
２０    リーダライタ
２１    アンテナ
２２    コントローラー
２３    送信部
２４    受信部
２５    制御部
３０    受皿部
３１    受皿
３２    カバー
４０    制御装置
４１    表示装置
４２    記憶装置
４３    重量値受信部
４４    トリガ制御部
４５    タグ受信部
４６    測定結果生成部
４７    格納制御部
４８    格納制御部
５０    ＣＰＵ
５１    記憶部
５２    コンピュータプログラム
６０    端末制御装置
６１    表示装置
６２    ＣＰＵ
６３    記憶部
６４    コンピュータプログラム
６５    制御部
１００    物品
【図１】
2006098268.tif 000003
【図２】
2006098268.tif 000004
【図３】
2006098268.tif 000005
【図４】
2006098268.tif 000006
【図５】
2006098268.tif 000007
【図６】
2006098268.tif 000008
【図７】
2006098268.tif 000009
【図８】
2006098268.tif 000010
【図９】
2006098268.tif 000011
【図１０】
2006098268.tif 000012
【図１１】
2006098268.tif 000013
【図１２】
2006098268.tif 000014
【図１３】
2006098268.tif 000015
【図１４】
2006098268.tif 000016
【図１５】
2006098268.tif 000017
【図１６】
2006098268.tif 000018
【図１７】
2006098268.tif 000019
【図１８】
2006098268.tif 000020
【図１９】
2006098268.tif 000021
【図２０】
2006098268.tif 000022
【図２１】
2006098268.tif 000023